(57)【特許請求の範囲】
【請求項１】
第１青色光、第１緑色光、及び第１赤色光を含む第１光、及び第２青色光、第２緑色光、及び第２赤色光を含む第２光を発生させるバックライトユニットと、
前記第１光を受けて映像を表示する表示パネルと、を含み、
前記バックライトユニットは、
紫外線を発生させる発光ダイオード、及び、
前記発光ダイオードの上に具備され、前記紫外線を受けて青色光を発生させる青色蛍光体、緑色光を発生させる緑色蛍光体、及び赤色光を発生させる赤色蛍光体を含む蛍光体層を含む複数の発光ダイオードパッケージと、
複数の発光ダイオードパッケージが搭載された印刷回路基板と、
導光板と、
前記青色光、前記緑色光、及び前記赤色光を受けて前記第１青色光、前記第１緑色光、及び前記第１赤色光を出射させる第１バンドパスフィルターと、
前記青色光、前記緑色光、及び前記赤色光を受けて前記第２青色光、前記第２緑色光、及び前記第２赤色光を出射させる第２バンドパスフィルターと、
導光板の少なくとも一の端面に沿って配置され、複数の発光ダイオードパッケージ、前記印刷回路基板及び第１及び第２バンドパスフィルターを収納して保持する第１及び第２のフレームとを含み、
前記第１青色光は前記第２青色光のピーク波長と異なるピーク波長を有し、前記第１緑色光は前記第２緑色光のピーク波長と異なるピーク波長を有し、前記第１赤色光は前記第２赤色光のピーク波長と異なるピーク波長を有し、
前記表示パネルは前記第１光及び前記第２光を受けて立体映像を表示し、
前記第１フレームは、導光板の端面に沿って延びる本体部と、この本体部から導光板へと向かって延びる複数の枝部とからなり、
この枝部の間ごとにて、少なくとも一つの発光ダイオードパッケージが位置するとともに、枝部の先端部により、第１バンドパスフィルターまたは第２バンドパスフィルターが保持されており、
前記第２フレームは、表示パネルの側から前記第１フレームに組みつけられて、複数の発光ダイオードパッケージ及び第１及び第２バンドパスフィルターを覆って遮光することを特徴とする表示装置。
【請求項２】
前記第１フレームの各枝部の先端部には、第１バンドパスフィルターまたは第２バンドパスフィルターの端部を受け入れて保持する溝が備えられる請求項１に記載の表示装置。
【請求項３】
第１及び第２バンドパスフィルターは、ポリエチレンナフタレート（Ｐｏｌｙｅｔｈｙｌｅｎｅ Ｎａｐｈｔｈａｌａｔｅ、ＰＥＮ）又はポリスチレン（Ｐｏｌｙｓｔｙｒｅｎｅ、ＰＳ）を含む、屈折率が互に異なる複数のフィルムが積層されたものである請求項１または２に記載の表示装置。
【請求項４】
前記第１青色光のピーク波長は前記第２青色光のピーク波長と少なくとも前記第１及び第２青色光の中でいずれか１つの半値幅程度離隔され、前記第１緑色光のピーク波長は前記第２緑色光のピーク波長と少なくとも前記第１及び第２緑色光の中でいずれか１つの半値幅程度離隔され、前記第１赤色光のピーク波長は前記第２赤色光のピーク波長と少なくとも前記第１及び第２赤色光の中でいずれか１つの半値幅程度離隔されることを特徴とする請求項３に記載の表示装置。
【請求項５】
前記発光ダイオードから発生された前記紫外線は３５０ｎｍ乃至４００ｎｍの波長を有することを特徴とする請求項３に記載の表示装置。
【請求項６】
前記第１バンドパスフィルターは前記第１青色光が透過される第１パスバンド、前記第１緑色光が透過される第２パスバンド、及び前記第１赤色光が透過される第３パスバンドを有し、前記第２バンドパスフィルターは前記第２青色光が透過される第４パスバンド、前記第２緑色光が透過される第５パスバンド、及び前記第２赤色光が透過される第６パスバンドを有することを特徴とする請求項３に記載の表示装置。
【請求項７】
前記バックライトユニットは前記発光ダイオード及び前記蛍光体層を収容するハウジングをさらに含み、前記発光ダイオード、前記蛍光体層、及び前記ハウジングは発光ダイオードパッケージを構成し、前記発光ダイオードパッケージは複数個に提供されることを特徴とする請求項３に記載の表示装置。
【請求項８】
前記青色、緑色、及び赤色蛍光体は酸化物系化合物、硫化物系化合物、窒化物系化合物又はこれらの化合物の中で少なくとも１つを含んで構成されることを特徴とする請求項７に記載の表示装置。
【請求項９】
前記発光ダイオードは、前記第１バンドパスフィルターに組み合わされる第１発光ダイオード及び前記第２バンドパスフィルターに組み合わされる第２発光ダイオードを含み、前記蛍光体層は前記第１バンドパスフィルターと組立される第１蛍光体及び前記第２バンドパスフィルターに組み合わされる第２蛍光体を含むことを特徴とする請求項３に記載の表示装置。
【請求項１０】
前記青色、緑色、及び赤色蛍光体は酸化物系化合物、硫化物系化合物、窒化物系化合物又はこれらの化合物の中で少なくとも１つを含んで構成されることを特徴とする請求項９に記載の表示装置。
【発明の詳細な説明】
【技術分野】
【０００１】
本発明は表示装置に関し、さらに詳細には紫外線発光ダイオードを含んで立体映像を表示する表示装置に関する。
【背景技術】
【０００２】
発光ダイオードを利用して白色を示す光源を具現する方法は互いに異なる色を有する光を放出する複数の発光ダイオードを具備して白色光を出力するマルチダイオード方式と、青色発光ダイオード上に蛍光体を具備して白色光を出力する蛍光体適用方式とに分けられる。
【０００３】
マルチダイオード方式で、光源は赤色光、緑色光、及び青色光を各々発生させる複数の発光ダイオードからなされ、各発光ダイオードから出力される光が組合されて白色光に出力される。一方、蛍光体適用方式で、光源は青色光を放出する発光ダイオード及び青色光によって励起されて緑色光及び赤色光を放出する蛍光体を具備し、青色光、緑色光、及び黄色光の組合によって白色光を出力する。
【０００４】
しかし、発光ダイオードから発生された青色光はピーク値が大きくて半値幅が狭いので、青色光の波長範囲内で互に異なるピーク波長を有する左眼用青色光と右眼用青色光とを分離して立体映像を提供する、所謂波長分離方式を利用する立体映像表示装置には青色発光ダイオードが使用されない。
【先行技術文献】
【特許文献】
【０００５】
【特許文献１】韓国特許公開第１０−２００８−００３５８９６号公報
【発明の概要】
【発明が解決しようとする課題】
【０００６】
したがって、本発明の目的は表示特性が向上された立体映像を表示する表示装置を提供することにある。
【課題を解決するための手段】
【０００７】
本発明の一実施形態による表示装置はバックライトユニット及び表示パネルを含む。
【０００８】
前記バックライトユニットは第１青色光、第１緑色光、及び第１赤色光を含む第１光を発生させる。前記表示パネルは前記第１光を受けて映像を表示する。具体的に、前記バックライトユニットは紫外線光を発生させる発光ダイオード、蛍光体層、及び第１バンドパスフィルターを含む。
【０００９】
前記蛍光体層は前記発光ダイオードの上に具備され、前記紫外線を受けて青色光を発生させる青色蛍光体、緑色光を発生させる緑色蛍光体、及び赤色光を発生させる赤色蛍光体を含む。前記第１バンドパスフィルターは前記青色光、前記緑色光、及び前記赤色光を受けて前記第１青色光、前記第１緑色光、及び前記第１赤色光を出射させる。
【発明の効果】
【００１０】
このような表示装置によれば、表示特性が向上された立体映像を視聴者へ提供できる。
【図面の簡単な説明】
【００１１】
【図１】本発明の一実施形態による表示装置の分解斜視図である。
【図２】図１の第１光源部の分解斜視図である。
【図３】図１のバックライトユニットの平面図である。
【図４】図１乃至図３の発光ダイオードパッケージの断面図である。
【図５】青色発光ダイオードを使用した発光ダイオードパッケージから放出された光の分光分布グラフである。
【図６】図５に図示された光の波長分離に使用されたバンドパスフィルターの分光分布グラフである。
【図７】図５に図示された光が図６に図示されたパスバンドを透過した後の分光分布グラフである。
【図８】図７に図示された透過光の色再現範囲を示すグラフである。
【図９】図４の発光ダイオードパッケージから放出された光の分光分布グラフである。
【図１０】図２又は図３の第１及び第２バンドパスフィルターの分光分布グラフである。
【図１１】図２又は図３の発光ダイオードパッケージから放出された光が第１及び第２バンドパスフィルターを透過した後の分光分布グラフである。
【図１２】図１１に図示された第１及び第２光の色再現範囲を示すグラフである。
【図１３】図１のバックライトユニットの他の実施形態による分解斜視図である。
【図１４】図１３の第１発光ダイオードパッケージの一実施形態による断面図である。
【図１５】図１３の第１発光ダイオードパッケージの他の実施形態による断面図である。
【図１６】図１のバックライトユニットのその他の実施形態による分解斜視図である。
【発明を実施するための形態】
【００１２】
以下、添付した図面を参照して本発明の望ましい実施形態をより詳細に説明する。
【００１３】
図１は本発明の一実施形態による表示装置の分解斜視図である。
【００１４】
図１を参照すれば、前記表示装置５００はバックライトユニット２００、表示パネル４００、ボトムシャーシー３１０、及びトップシャーシー３８０を含む。
【００１５】
前記バックライトユニット２００は第１光源部２１、第２光源部２２、及び導光板１０を含む。
【００１６】
前記第１及び第２光源部２１、２２は前記表示装置５００が映像を表示するのに使用される光を発生させる。また、前記導光板１０は前記第１及び第２光源部２１、２２から発生された光を前記表示パネル４００側へガイドする。
【００１７】
前記第１及び第２光源部２１、２２と前記導光板１０との間の結合関係及び各光源部から発生された光の移動経路は次の通りである。
【００１８】
前記第１光源部２１は前記導光板１０の一側に隣接するように具備され、前記第１光源部２１から発生された光は前記導光板１０へ提供される。また、前記第２光源部２２は前記導光板１０の他側に隣接するように前記第１光源部２１と対向して具備され、前記第２光源部２２から発生された光は前記導光板１０へ提供される。
【００１９】
具体的に、前記第１光源部２１は複数の発光ダイオードパッケージ２５及び印刷回路基板２９を含む。また、前記第２光源部２２も複数の発光ダイオードパッケージ２５及び印刷回路基板２９を含む。
【００２０】
前記発光ダイオードパッケージ２５は前記印刷回路基板２９上に第３方向Ｄ３に沿って具備され、前記第１光源部２１に具備された発光ダイオードパッケージ２５は第１方向Ｄ１へ光を提供し、前記第２光源部２２に具備された発光ダイオードパッケージ２５は第２方向Ｄ２へ光を提供する。
【００２１】
前記印刷回路基板２９は前記導光板１０に沿って具備され、前記発光ダイオードパッケージ２５と電気的に連結されて前記発光ダイオードパッケージ２５へ駆動電圧を提供する。図１で、前記印刷回路基板２９は前記発光ダイオードパッケージ２５内部に具備された発光ダイオード（図１に図示せず）の発光面と垂直に具備されることを例として図示した。
【００２２】
前記発光ダイオードパッケージ２５から発生された光は前記第１方向Ｄ１又は前記第２方向Ｄ２に沿って前記導光板１０へ提供され、前記導光板１０は前記発光ダイオードパッケージ２５から発生された光を前記表示パネル４００側へガイドする。
【００２３】
前記表示装置５００は視聴者が３次元立体映像を見るための眼鏡４０をさらに包含するが、前記眼鏡４０は左眼用映像を視聴するための第１フィルターガラス４１及び右眼用映像を視聴するための第２フィルターガラス４２を含む。前記発光ダイオードパッケージ２５から発生された光の中で一部は前記第１フィルターガラス４１を通過して視聴者へ提供され得、前記発光ダイオードパッケージ２５から発生された光の中で他の一部は前記第２フィルターガラス４２を通過して視聴者へ提供され得る。したがって、前記発光ダイオードパッケージ２５から発生された光は立体映像を具現するのに使用され得る。
【００２４】
一方、本発明の一実施形態によれば、前記第１光源部２１及び前記第２光源部２２は個別的に駆動され得るので、前記導光板１０側に互に異なる強さを有する光が提供され得る。したがって、前記表示パネル４００が映像を表示する領域の位置にしたがって前記導光板１０を通じて前記表示パネル４００側へ提供される光の強さを異なるようにすることができるので、前記表示装置５００は、所謂、ローカル調光（ＬｏｃａｌＤｉｍｍｉｎｇ）方式に駆動され得る。
【００２５】
前記表示装置５００は前記導光板１０の下部に具備された反射板１１０をさらに包含できる。前記反射板１１０はポリエチレンテレフタレート（ｐｏｌｙｅｔｈｙｌｅｎｅ  ｔｅｒｅｐｈｔｈａｌａｔｅ、ＰＥＴ）又はアルミニウムのような光を反射する物質を含む。前記反射板１１０は前記ボトムシャーシー３１０の底部３１１の上に具備されて前記第１及び第２光源部２１、２２から発生された光を反射させる。その結果、前記反射板１１０は前記表示パネル４００側へ提供される光の強さを増加させる。
【００２６】
前記表示装置５００は前記表示パネル４００及び前記導光板１０の間に拡散シート１２０をさらに包含できる。前記拡散シート１２０は前記導光板１０から出射される光を拡散させる。その結果、前記拡散シート１２０によって前記表示パネル４００の単位面積当たり提供される光の強さはより均一になり得る。
【００２７】
前記表示装置５００は前記表示パネル４００及び前記拡散シート１２０の間に具備された光学シート１３０をさらに包含できる。前記光学シート１３０は前記拡散シート１２０から出射された光を集光して正面輝度を向上させるプリズムシートを包含できる。前記拡散シート１２０及び前記光学シート１３０の配置順序は実施形態にしたがって変更できる。
【００２８】
本発明の一実施形態によれば、前記表示パネル４００は液晶表示パネルであり得、前記表示パネル４００は前記バックライトユニット２００から発生される光を受信して映像を表示する。前記表示装置５００が左眼用映像及び右眼用映像を表示する立体表示装置に使用される場合、前記表示パネル４００は前記発光ダイオードパッケージ２５から発生された光を利用して立体映像を表示することができる。具体的に、前記表示パネル４００は例えば、フレーム単位に左眼映像と右眼映像とを交互に表示できるが、前記第１及び第２光源部２１、２２で第１青色光、第１緑色光、及び第１赤色光を含む第１光が出射される時、左眼映像を表示し、前記第１及び第２光源部２１、２２で第１光と、及び第２青色光、第２緑色光、及び第２赤色光を含む第２光と、が出射される時、右眼映像を表示することができる。前記第１及び第２光は互に異なる波長を有する光であり、前記第１及び第２光に対する具体的な説明は下の図面を参照して説明する。
【００２９】
前記表示パネル４００は第１基板４１０、前記第１基板４１０と対向する第２基板４２０、及び前記第１基板４１０及び前記第２基板４２０の間に介在される液晶（図示せず）を含む。
【００３０】
本発明の一実施形態によれば、前記第１基板４１０は多数の画素電極（図示せず）及び前記画素電極と一対一対応して電気的に連結される多数の薄膜トランジスターを包含できる。各薄膜トランジスターは各画素電極側へ提供される駆動信号をスイッチングする。また、前記第２基板４２０は前記画素電極と一対一対応して位置するカラーフィルター層及び前記画素電極と共に前記液晶の配列を制御する電界を形成する対向電極を包含できる。
【００３１】
前記表示パネル４００の一側には前記表示パネル４００へ駆動信号を出力する印刷回路基板４３０が具備される。前記印刷回路基板４３０は多数のテープキャリヤーパッケージ（Ｔａｐｅ  Ｃａｒｒｉｅｒ  Ｐａｃｋａｇｅ：ＴＣＰ）４３１を通じて前記表示パネル４００に連結され、前記テープキャリヤーパッケージ４３１の上には多数の駆動チップ４３２が各々実装される。
【００３２】
前記駆動チップ４３２の各々は前記表示パネル４００へデータ信号を出力するデータドライバー（図示せず）を内装することができる。ここで、前記表示パネル４００へゲート信号を出力するゲートドライバー（図示せず）は前記表示パネル４００に薄膜工程を通じて直接的に形成され得る。また前記駆動チップ４３２は前記表示パネル４００の上にチップオンガラス（Ｃｈｉｐ  Ｏｎ  Ｇｌａｓｓ：ＣＯＧ）形態に実装され得る。この場合、前記駆動チップ４３２は１つのチップに統合されることもあり得る。
【００３３】
前記ボトムシャーシー３１０は前記底部３１１と前記底部３１１から延長された側壁３１２とを具備して前記バックライトユニット２００と前記表示パネル４００とを収納する収納空間を提供する。また、前記トップシャーシー３８０は前記ボトムシャーシー３１０と締結されて前記バックライトユニット２００及び前記表示パネル４００を前記ボトムシャーシー３１０の内部に安定的に固定させる。
【００３４】
図１で、前記バックライトユニット２００は前記表示パネル４００の短辺に隣接するように具備された前記第１及び第２光源部２１、２２のみを図示したが、実施形態にしたがって前記第１及び第２光源部２１、２２は前記表示パネル４００の長辺に隣接するように具備されるか、或いは前記バックライトユニット２００は前記表示パネル４００の長辺に隣接するように具備された光源部をさらに包含できる。
【００３５】
図２は図１の第１光源部の分解斜視図である。一部構成を除外すれば、前記第２光源部２２は前記第１光源部２１と同様に構成されるので、説明を簡単にするために図２には第１光源部２１を例として図示した。
【００３６】
図１及び図２を参考すれば、前記第１光源部２１は第１フレーム２３０、第２フレーム２４０、第１バンドパスフィルター２１０、及び第２バンドパスフィルター２２０をさらに含む。
【００３７】
前記第１フレーム２３０は第１サブフレーム２３１及び前記第１サブフレーム２３１から実質的に垂直に延長された複数の第２サブフレーム２３２を含み、前記発光ダイオードパッケージ２５の少なくとも一側面をカバーする。前記第１サブフレーム２３１は前記印刷回路基板２９上に具備され、前記印刷回路基板２９と実質的に垂直に延長された、例えば、平板形状を有し、前記発光ダイオードパッケージ２５の背面をカバーする。また、前記第１サブフレーム２３１には前記第２フレーム２４０と締結され得る第１締結溝２３４が形成され得る。
【００３８】
前記第２サブフレーム２３２は前記第１サブフレーム２３１から延長されて具備され、前記発光ダイオードパッケージ２５の側面をカバーする。前記第２サブフレーム２３２の各々には前記第１及び第２バンドパスフィルター２１０、２２０を収容する収容溝２３３が形成され、前記第１及び第２バンドパスフィルター２１０、２２０は前記収容溝２３３へ挿入されて安着される。
【００３９】
具体的に、前記第１及び第２バンドパスフィルター２１０、２２０の各々は前記第２サブフレーム２３２の中で隣接する２つの第２サブフレームの間で前記２つの第２サブフレームに形成された収容溝２３３に安着される。また、前記第１及び第２バンドパスフィルター２１０、２２０は前記印刷回路基板２９と前記第１フレーム２３０とが結合された後、前記第１フレーム２３０の上部から下部に挿入され得る。前記第１及び第２バンドパスフィルター２１０、２２０は前記発光ダイオードパッケージ２５の配列方向、即ち図１の第３方向Ｄ３にしたがって交互に配置される。
【００４０】
前記第２フレーム２４０は前記印刷回路基板２９と対向して具備され、前記第１及び第２バンドパスフィルター２１０、２２０をカバーして前記第１及び第２バンドパスフィルター２１０、２２０を前記収容溝２３３に固定させる。前記第２フレーム２４０には前記第１サブフレーム２３１の前記第１締結溝２３４と締結手段（図示せず）によって締結され得る第２締結溝２４１が形成され得る。また、前記第２フレーム２４０は前記第１フレーム２３０及び前記第１及び第２バンドパスフィルター２１０、２２０の上に具備されて前記発光ダイオードパッケージ２５から発生された光が前記導光板（図１の１０）へ進行されず、前記表示パネル（図１の４００）に直接放出されることを防止する。
【００４１】
前記第１及び第２バンドパスフィルター２１０、２２０の各々は特定バンドの光を透過させ、前記特定バンドの光以外の光は反射又は吸収するフィルターとして、例えば干渉フィルターであり得る。図２に図示せずが、前記第１及び第２バンドパスフィルター２１０、２２０の各々は屈折率が互に異なる複数のフィルムが積層された構造に製造され得る。例えば、前記フィルムはポリエチレンナフタレート（Ｐｏｌｙｅｔｈｙｌｅｎｅ  Ｎａｐｈｔｈａｌａｔｅ、ＰＥＮ）又はポリスチレン（Ｐｏｌｙｓｔｙｒｅｎｅ、ＰＳ）等を包含できる。
【００４２】
前記発光ダイオードパッケージ２５及び前記第１及び第２バンドパスフィルター２１０、２２０に関する具体的な構成は図４以下の図面を参考して説明する。
【００４３】
図３は図１のバックライトユニットの平面図である。
【００４４】
図３を参照すれば、前記第１光源部２１は例えば、３２つの発光ダイオードパッケージ２５、前記発光ダイオードパッケージ２５が実装された印刷回路基板２９、及び前記発光ダイオードパッケージ２５の少なくとも一側面をカバーする第１フレーム２３０を含む。図３では２つの第２サブフレーム２３２の間に４つの発光ダイオードパッケージ２５が配置されることを例として図示したが、これに限定されることではない。
【００４５】
前記発光ダイオードパッケージ２５の中で一部の発光面の上には前記第１バンドパスフィルター２１０が具備され、前記発光ダイオードパッケージ２５の中で残りの一部の発光面の上には前記第２バンドパスフィルター２２０が具備される。具体的に、前記第１光源部２１は第３方向Ｄ３へ交互に配列された第１及び第２バンドパスフィルター２１０、２２０を含み、前記第１及び第２バンドパスフィルター２１０、２２０の各々は４つの発光ダイオードパッケージ２５に対応して１つずつ具備される。
【００４６】
前記第２光源部２２は前記導光板１０を介して前記第１光源部２１と対向して具備され、例えば、３２個の発光ダイオードパッケージ２５、前記発光ダイオードパッケージ２５が実装された印刷回路基板２９、及び前記発光ダイオードパッケージ２５の少なくとも一側面をカバーする第１フレーム２３０を含む。
【００４７】
前記第２光源部２２は前記第３方向Ｄ３へ交互に配列された第１及び第２バンドパスフィルター２１０、２２０を含み、前記第１及び第２バンドパスフィルター２１０、２２０の各々は４つの発光ダイオードパッケージ２５に対応して１つずつ具備される。
【００４８】
図３で、前記第１光源部２１の前記第１バンドパスフィルター２１０は前記第２光源部２２の前記第２バンドパスフィルター２２０と対向して具備され、前記第１光源部２１の前記第２バンドパスフィルター２２０は前記第２光源部２２の前記第１バンドパスフィルター２１０と対向して具備される。
【００４９】
前記表示装置（図１の５００）は前記第１バンドパスフィルター２１０へ光を提供する発光ダイオードパッケージと前記第２バンドパスフィルター２２０へ光を提供する発光ダイオードパッケージとを時間の順序にしたがって交互にターンオンして立体映像を表示することができる。
【００５０】
図３に図示されたバックライトユニットの平面構造は例として図示されたことであって、発光ダイオードパッケージの個数及び配置形態、前記第１及び第２バンドパスフィルターの個数及び配置形態は実施形態にしたがって異なり得る。
【００５１】
図４は図１乃至図３の発光ダイオードパッケージの断面図である。
【００５２】
前記発光ダイオードパッケージ２５は発光ダイオード６２０、蛍光体層６３０、及びハウジング６１０を含む。前記発光ダイオード６２０は前記ハウジング６１０内に実装されて紫外線を発生させる。具体的に、前記紫外線は例えば、３５０ｎｍ乃至４００ｎｍの波長を有することができる。
【００５３】
図４に図示しないが、前記発光ダイオード６２０は前記印刷回路基板２９に電気的に連結されて駆動電圧を受ける２つのリードフレームと電気的に連結される。したがって、前記発光ダイオード６２０は前記リードフレームへ印加される電圧によって光を発生させる。また、図示しないが、前記発光ダイオード６２０の下部には前記発光ダイオード６２０から発生された熱を放出させる放熱パッド又は放熱板が具備され得る。
【００５４】
前記ハウジング６１０は底面部６１０ａ及び前記底面部６１０ａから実質的に垂直に延長された側面部６１０ｂを有し、前記発光ダイオード６２０及び前記蛍光体層６３０を収容できる内部空間を有し、一側が開放された形態に設けられる。即ち、前記底面部６１０ａの上には前記発光ダイオード６２０が実装され、前記側面部６１０ｂには前記蛍光体層６３０が収容される。
【００５５】
前記ハウジング６１０はプラスチックのような絶縁性高分子によって形成され得る。例えば、ポリフタラミド（Ｐｏｌｙｐｈｔｈａｌａｍｉｄｅ、ＰＰＡ）乃至セラミックのような物質で形成され得る。前記底面部６１０ａと前記側面部６１０ｂとは前記ハウジング６１０の製造の際にモールディング方法を利用して一体に形成され得る。
【００５６】
前記蛍光体層６３０は高分子樹脂６３１及び前記高分子樹脂６３１内に散布された多数の蛍光体ＦＢ１、ＦＢ２、ＦＢ３を含む。前記高分子樹脂６３１は絶縁性高分子で形成でき、例えばシリコン樹脂、エポキシ樹脂、又はアクリル樹脂等が使用され得る。
【００５７】
前記蛍光体層６３０は前記発光ダイオード６２０から放出された紫外線を吸収して青色光、緑色光、及び赤色光を発生させる。具体的に、前記蛍光体層６３０は前記青色光を発生させる青色蛍光体ＦＢ１、前記緑色光を発生させる緑色蛍光体ＦＢ２、及び前記赤色光を発生させる赤色蛍光体ＦＢ３を含む。前記青色、緑色、及び赤色蛍光体ＦＢ１、ＦＢ２、ＦＢ３は酸化物系化合物、硫化物系化合物、窒化物系化合物又はこれらの化合物の中で少なくとも１つを含んで構成され得る。前記青色、緑色、及び赤色蛍光体ＦＢ１、ＦＢ２、ＦＢ３として使用される物質にしたがって発生される光のスペクトルが異なるので、望むスペクトルにしたがって前記青色、緑色、及び赤色蛍光体ＦＢ１、ＦＢ２、ＦＢ３として使用される物質を選択することができる。
【００５８】
具体的に、前記青色蛍光体ＦＢ１は、例えば、ＢａＭｇ２Ａｌ１６Ｏ２７：Ｅｕ２＋、Ｓｒ４Ａｌ１４Ｏ２５：Ｅｕ２＋；ＢａＡｌ１８Ｏ１３：Ｅｕ２＋；（Ｓｒ、Ｍｇ、Ｃａ、Ｂａ）５（ＰＯ４）３Ｃｌ：Ｅｕ２＋；又はＳｒ２Ｓｉ３Ｏ８・２ＳｒＣｌ２：Ｅｕ２＋の中で少なくとも１つを含んで構成され得る。
【００５９】
前記緑色蛍光体ＦＢ２は、例えば、Ｍ２ＳｉＯ４（ＭはＳｒ、Ｂａ、Ｃａ、Ｍｇの中で１つである）を有する（Ｓｒ、Ｂａ、Ｃａ、Ｍｇ）２ＳｉＯ４：Ｅｕ２＋；Ｍ３ＳｉＯ５を有する（Ｓｒ、Ｂａ、Ｃａ、Ｍｇ）３ＳｉＯ５：Ｅｕ２＋等の酸化物系；ＳｒＧａ２Ｓ４：Ｅｕを有する硫化物系；β−ＳｉＡｌＯＮを有する窒化物系；β形Ｓｉ３Ｎ４結晶構造を有する結晶の中でＥｕを採用する窒化物又は酸窒化物の結晶；（Ｂａ、Ｓｒ、Ｃａ）２ＳｉＯ４：Ｅｕ２＋；Ｂａ２ＭｇＳｉ２Ｏ７：Ｅｕ２＋；Ｂａ２ＺｎＳｉ２Ｏ７：Ｅｕ２＋；ＢａＡｌ２Ｏ４：Ｅｕ２＋；ＳｒＡｌ２Ｏ４：Ｅｕ２＋；ＢａＭｇＡｌ１０Ｏ１７：（Ｅｕ２＋、Ｍｎ２＋）；又はＢａＭｇ２Ａｌ１６Ｏ２７：（Ｅｕ２＋、Ｍｎ２＋）の中で少なくとも１つを含んで構成され得る。
【００６０】
前記赤色蛍光体ＦＢ３は、例えば、酸化物系であるＹ２Ｏ３：（Ｅｕ３＋、Ｂｉ３＋）；（Ｓｒ、Ｃａ、Ｂａ、Ｍｇ、Ｚｎ）２Ｐ２Ｏ７：（Ｅｕ２＋、Ｍｎ２＋）；（Ｃａ、Ｓｒ、Ｂａ、Ｍｇ、Ｚｎ）１０（ＰＯ４）６（Ｆ、Ｃｌ、Ｂｒ、ＯＨ）２：（Ｅｕ２＋、Ｍｎ２＋）；（Ｇｄ、Ｙ、Ｌｕ、Ｌａ）２Ｏ３：（Ｅｕ３＋、Ｂｉ３＋）；（Ｇｄ、Ｙ、Ｌｕ、Ｌａ）ＢＯ３：（Ｅｕ３＋、Ｂｉ３＋）；（Ｇｄ、Ｙ、Ｌｕ、Ｌａ）（Ｐ、Ｖ）Ｏ４：（Ｅｕ３＋、Ｂｉ３＋）；（Ｂａ、Ｓｒ、Ｃａ）ＭｇＰ２Ｏ７：（Ｅｕ２＋、Ｍｎ２＋）；（Ｙ、Ｌｕ）２ＷＯ６：（Ｅｕ３＋、Ｍｏ６＋）；（Ｓｒ、Ｃａ、Ｂａ、Ｍｇ、Ｚｎ）２ＳｉＯ４：（Ｅｕ２＋、Ｍｎ２＋）；硫化物系である（Ｃａ、Ｓｒ）Ｓ：Ｅｕ２＋；（Ｇｄ、Ｙ、Ｌｕ、Ｌａ）２Ｏ２Ｓ：（Ｅｕ３＋、Ｂｉ３＋）；ＣａＬａ２Ｓ４：Ｃｅ３＋；窒化物系である（Ｓｒ、Ｃａ）ＡｌＳｉＮ３：Ｅｕ２＋；（Ｂａ、Ｓｒ、Ｃａ）２Ｓｉ５Ｎ８：Ｅｕ２＋；又は（Ｂａ、Ｓｒ、Ｃａ）２ＳｉＯ４−ｘＮｙ：Ｅｕ２＋の中で少なくとも１つを含んで構成され得る。
【００６１】
図５は青色発光ダイオードを使用した発光ダイオードパッケージから放出された光の分光分布グラフを示す。
【００６２】
具体的に、図５には青色発光ダイオードの上に緑色及び赤色を示す蛍光体を使用して作った発光ダイオードパッケージの分光分布グラフが図示された。青色発光ダイオードを使用したパッケージの分光分布グラフを見れば、青色光、即ち約４５０ｎｍ付近の波長を有する光のピーク値が大きくて半値幅が狭いことを分かられる。具体的に、緑色光、即ち約５２５ｎｍ付近の波長を有する光及び赤色光、即ち約６２５ｎｍ付近の波長を有する光に比べて前記青色光はピーク値が前記緑色光及び前記赤色光に比べて大きくて前記青色光の半値幅は前記緑色光及び前記赤色光に比べて狭いこと分かる。
【００６３】
図６は図５に図示された光の波長分離に使用されたバンドパスフィルターの分光分布グラフである。
【００６４】
具体的に、図６には、波長分離方式を利用して立体映像を表示するために表示装置に使用される２つのバンドパスフィルターのパスバンドが図示された。前記２つのバンドパスフィルターの中で第１バンドパスフィルターは青色領域の第１パスバンドＢＰ１、緑色領域の第２パスバンドＢＰ２、及び赤色領域の第３パスバンドＢＰ３を有し、第２バンドパスフィルターは青色領域の第４パスバンドＢＰ４、緑色領域の第５パスバンドＢＰ５、及び赤色領域の第６パスバンドＢＰ６を有する。前記第１バンドパスフィルターは左眼用又は右眼用として使用され得、前記第２バンドパスフィルターは前記第１バンドパスフィルターと反対に右眼用又は左眼用として使用され得る。
【００６５】
前記第１パスバンドＢＰ１は青色光の中心波長である約４５０ｎｍを基準に約４５０ｎｍより短い波長を有する光が透過されるバンドであり、前記第４パスバンドＢＰ４は青色光の中心波長である約４５０ｎｍを基準に約４５０ｎｍより長い波長を有する光が透過されるバンドである。前記第２パスバンドＢＰ２は緑色光の中心波長である約５２５ｎｍを基準に約５２５ｎｍより短い波長を有する光が透過されるバンドであり、前記第５パスバンドＢＰ５は緑色光の中心波長である約５２５ｎｍを基準に約５２５ｎｍより長い波長を有する光が透過されるバンドである。また、前記第３パスバンドＢＰ３は赤色光の中心波長である約６２５ｎｍを基準に約６２５ｎｍより短い波長を有する光が透過されるバンドであり、前記第６パスバンドＢＰ６は赤色光の中心波長である約６２５ｎｍを基準に約６２５ｎｍより長い波長を有する光が透過されるバンドである。
【００６６】
図７は図５に図示された光が図６に図示されたパスバンドを透過した後の分光分布グラフである。
【００６７】
具体的に、図７には、青色発光ダイオード上に緑色及び赤色を示す蛍光体を使用して作った発光ダイオードパッケージから放出された光が前記第１及び第２バンドパスフィルターを透過した後の分光分布を示す。より具体的に、図７で、第１光ＢＢ１、第２光ＢＧ１、及び第３光ＢＲ１は前記第１バンドパスフィルターを透過した光であり、第４光ＢＢ２、第５光ＢＧ２、及び第６光ＢＲ２は前記第２バンドパスフィルターを透過した光である。
【００６８】
図７を参考すれば、青色領域で第１バンドパスフィルターを透過した第１光ＢＢ１は青色領域で第２バンドパスフィルターを透過した第４光ＢＢ２に比べて約３倍以上大きいピーク値を有する。具体的に、図７のグラフで前記第１光ＢＢ１の面積と前記第４光ＢＢ２の面積とは前記第１光ＢＢ１の面積を基準とする時、約７０％乃至約７５％の差異を示す。したがって、図７に図示された光を利用して立体映像を表示する場合、視聴者の左眼及び右眼に到達される光の輝度に大きい差異が発生して、このような表示装置を視聴する視聴者に眩氣症等を誘発させ得るので、表示装置の表示特性がよくない。
【００６９】
下表１は図７に図示された第１及び第２バンドパスフィルターを透過した光の特性を示し、図８は図７に図示された第１及び第２バンドパスフィルターを透過した光の色再現範囲を示す。
【００７０】
表１を参考すれば、前記第１バンドパスフィルターを透過した前記第１光ＢＢ１、前記第２光ＢＧ１、及び前記第３光ＢＲ１はピーク値が各々約４４５ｎｍ、約５２０ｎｍ、及び約６２１ｎｍであり、パスバンドが各々約４３６−２３／２乃至約４３６＋２３／２、約５１２−２７／２乃至約５１２＋２７／２、及び約６０６−３６／２乃至約６０６＋３６／２であった。また、前記第１光ＢＢ１、前記第２光ＢＧ１、及び前記第３光ＢＲ１で作られる白色光のＣＩＥ１９３１色座標（以下“色座標”と称する）上の座標はｘ軸が０．２４９及びｙ軸が０．２１５であり、ｓＲＧＢ対比９１．３％の一致率を有し、ＮＴＳＣ対比７８．２％の面積比を有する。
【００７１】
前記第２バンドパスフィルターを透過した前記第４光ＢＢ２、前記第５光ＢＧ２、及び前記第６光ＢＲ２はピーク値が各々約４６３ｎｍ、約５４２ｎｍ、及び約６４１ｎｍであり、パスバンドが各々約４７２−２１／２乃至約４７２＋２１／２、約５５０−２４／２乃至約５５０＋２４／２、及び約６６２−５３／２乃至約６６２＋５３／２であった。また、前記第４光ＢＢ２、前記第５光ＢＧ２、及び前記第６光ＢＲ２で作られる白色光の色座標上の座標はｘ軸が０．２４９及びｙ軸が０．２１５であり、ｓＲＧＢ対比９９．１％の一致率を有し、ＮＴＳＣ対比９３．１％の面積比を有する。
【００７２】
【表１】
0006018819.tif 000002
【００７３】
図９は図４の発光ダイオードパッケージから放出された光の分光分布グラフである。
【００７４】
具体的に、図９には前記紫外線発光ダイオード（図４の６２０）上に青色、緑色、及び赤色を示す蛍光体ＦＢ１、ＦＢ２、ＦＢ３を使用して作られた発光ダイオードパッケージで出射された光ＵＢＬの分光分布グラフが図示された。図９でも、青色光、即ち約４５０ｎｍ付近の波長を有する光のピーク値が緑色光、即ち約５２５ｎｍ付近の波長を有する光及び赤色光、即ち約６２５ｎｍ付近の波長を有する光に比べて大きいことを分かられる。但し、図５と比較する時、図９で、前記青色光のピーク値と前記緑色光のピーク値との差異、又は前記青色光のピーク値と前記赤色光のピーク値との差異は減らすことができることが分かる。
【００７５】
また、前記青色光の半値幅を前記緑色光の半値幅又は前記赤色光の半値幅と比較すれば、図９でも前記青色光の半値幅が前記緑色光の半値幅又は前記赤色光の半値幅より大きい。しかし、図５と比較する時、前記青色光の半値幅と前記緑色光の半値幅の差異又は前記青色光の半値幅と前記赤色光の半値幅の差異は図９で減らすことができることが分かる。
【００７６】
図１０は図２又は図３の第１及び第２バンドパスフィルターの分光分布グラフである。
【００７７】
前記第１及び第２バンドパスフィルター２１０、２２０は互に異なるパスバンドを有するフィルターとして干渉フィルターであり得る。具体的に、前記第１バンドパスフィルター２１０は青色領域の第１パスバンドＰ１、緑色領域の第２パスバンドＰ２、及び赤色領域の第３パスバンドＰ３を有し、前記第２バンドパスフィルター２２０は青色領域の第４パスバンドＰ４、緑色領域の第５パスバンドＰ５、及び赤色領域の第６パスバンドＰ６を有する。
【００７８】
前記第１パスバンドＰ１は青色光の中心波長である約４５０ｎｍを基準に約４５０ｎｍより短い波長を有する光が透過されるバンドであり、前記第４パスバンドＰ４は青色光の中心波長である約４５０ｎｍを基準に約４５０ｎｍより長い波長を有する光が透過されるバンドである。前記第２パスバンドＰ２は緑色光の中心波長である約５２５ｎｍを基準に約５２５ｎｍより短い波長を有する光が透過されるバンドであり、前記第５パスバンドＰ５は緑色光の中心波長である約５２５ｎｍを基準に約５２５ｎｍより長い波長を有する光が透過されるバンドである。また、前記第３パスバンドＰ３は赤色光の中心波長である約６２５ｎｍを基準に約６２５ｎｍより短い波長を有する光が透過されるバンドであり、前記第６パスバンドＰ６は赤色光の中心波長である約６２５ｎｍを基準に約６２５ｎｍより長い波長を有する光が透過されるバンドである。前記第１乃至第６パスバンドＰ１〜Ｐ６は互に重畳されない。
【００７９】
図１１は図２又は図３の発光ダイオードパッケージから放出された光が第１及び第２バンドパスフィルターを透過した後の分光分布グラフである。
【００８０】
図１１を参考すれば、前記発光ダイオードパッケージ（図２の２５）から放出された光が前記第１バンドパスフィルター２１０を通過すれば、第１青色光Ｂ１、第１緑色光Ｇ１、及び第１赤色光Ｒ１を含む第１光が発生され、前記第２バンドパスフィルター２２０を通過すれば、第２青色光Ｂ２２、第２緑色光Ｇ２、及び第２赤色光Ｒ２を含む第２光が発生される。
【００８１】
前記第１青色光Ｂ１は前記第２青色光Ｂ２のピーク波長と異なるピーク波長を有し、前記第１緑色光Ｇ１は前記第２緑色光Ｇ２のピーク波長と異なるピーク波長を有し、前記第１赤色光Ｒ１は前記第２赤色光Ｒ２のピーク波長と異なるピーク波長を有する。
【００８２】
より具体的に、前記第１青色光Ｂ１のピーク波長は前記第２青色光Ｂ２のピーク波長と少なくとも前記第１及び第２青色光Ｂ１、Ｂ２の中でいずれか１つの半値幅程度離隔され、前記第１緑色光Ｇ１のピーク波長は前記第２緑色光Ｇ２のピーク波長と少なくとも前記第１及び第２緑色光Ｇ１、Ｇ２の中でいずれか１つの半値幅程度離隔され、前記第１赤色光Ｒ１のピーク波長は前記第２赤色光Ｒ２のピーク波長と少なくとも前記第１及び第２赤色光Ｒ１、Ｒ２の中でいずれか１つの半値幅程度離隔され得る。
【００８３】
また、前記第１青色光Ｂ１及び第２青色光Ｂ２は４２５ｎｍ乃至４７５ｎｍ範囲内の波長を有し、前記第１緑色光Ｇ１及び第２緑色光Ｇ２は５００ｎｍ乃至５５０ｎｍ範囲内の波長を有し、前記第１赤色光Ｒ１及び第２赤色光Ｒ２は６００ｎｍ乃至６５０ｎｍ範囲内の波長を有する。
【００８４】
前記第１青色光Ｂ１と前記第２青色光Ｂ２とを比較すれば、前記第１及び第２青色光Ｂ１、Ｂ２の半値幅は概ね類似であることを分かり、前記第１青色光Ｂ１のピーク値は前記第２青色光Ｂ２のピーク値に比べて約０．１程度差異があることを分かられる。具体的に、図１１のグラフで前記第１青色光Ｂ１の面積と前記第２青色光Ｂ２の面積とは前記第１青色光Ｂ１の面積を基準とする時、約１５％乃至約２０％の差異を示す。しかし、図７と比較すれば、前記第１及び第２青色光Ｂ１、Ｂ２の間のピーク値及び面積差異は前記第１光ＢＢ１及び前記第４光ＢＢ２の間のピーク値及び面積差異に比べて相当に減少されたことを分かる。
【００８５】
下表２は図１１に図示された第１及び第２光の特性を示し、図１２は図１１に図示された第１及び第２光の色再現範囲を示す。
【００８６】
表２を参考すれば、前記第１バンドパスフィルター２１０を透過した前記第１青色光Ｂ１、前記第１緑色光Ｇ１、及び第１赤色光Ｒ１はピーク値が各々約４４５ｎｍ、約５２２ｎｍ、及び約６１１ｎｍであり、パスバンドが各々約４３６−２３／２乃至約４３６＋２３／２、約５１２−２７／２乃至約５１２＋２７／２、及び約６０６−３６／２乃至約６０６＋３６／２であった。また、前記第１青色光Ｂ１、前記第１緑色光Ｇ１、及び前記第１赤色光Ｒ１で作られる白色光の色座標上の座標はｘ軸が０．２４９及びｙ軸が０．２１５であり、ｓＲＧＢ対比９４．９％の一致率を有し、ＮＴＳＣ対比８２．５％の面積比を有する。
【００８７】
前記第２バンドパスフィルターを透過した前記第２青色光Ｂ２、前記第２緑色光Ｇ２、及び前記第２赤色光Ｒ２はピーク値が各々約４６３ｎｍ、約５４３ｎｍ、及び約６４２ｎｍであり、パスバンドが各々約４７２−２１／２乃至約４７２＋２１／２、約５５０−２４／２乃至約５５０＋２４／２、及び約６６２−５３／２乃至約６６２＋５３／２であった。また、前記第２青色光Ｂ２、前記第２緑色光Ｇ２、及び前記第２赤色光Ｒ２で作られる白色光の色座標上の座標はｘ軸が０．２４９及びｙ軸が０．２１５であり、ｓＲＧＢ対比９４．３％の一致率を有し、ＮＴＳＣ対比８１．２％の面積比を有する。
【００８８】
【表２】
0006018819.tif 000003
【００８９】
再び表１及び表２を参考すれば、表１で第１及び第２バンドパスフィルターから出射された光はｓＲＧＢ対比一致率で約７．８％の差異が発生し、ＮＴＳＣ対比面積比で約１４．９％の差異が発生した。これに反して、表２で第１及び第２光はｓＲＧＢ対比一致率で約０．６％の差異が発生し、ＮＴＳＣ対比面積比で約１．３％の差異が発生した。したがって、光源として青色発光ダイオードを使用する時より光源に紫外線発光ダイオードを使用すれば、立体映像表示装置に使用される左眼用光及び右眼用光の色差及び輝度差を改善できることを示す。
【００９０】
以上より、バックライトユニットに発生された輝度及び色再現率が類似な左眼用光及び右眼用光を利用して、表示パネルは色再現率の差異及び輝度の差異が減少された左眼映像と右眼映像とを表示できる。
【００９１】
図１３は図１のバックライトユニットの他の実施形態による分解斜視図である。
【００９２】
図１３を参考すれば、前記バックライトユニット２０１は第１光源部２３、第２光源部２４、及び導光板１１を含む。
【００９３】
前記第１光源部２３は複数の第１発光ダイオードパッケージ２６、複数の第２発光ダイオードパッケージ２７、及び印刷回路基板３０を含む。また、前記第２光源部２４も複数の第１発光ダイオードパッケージ２６、複数の第２発光ダイオードパッケージ２７、及び印刷回路基板３０を含む。
【００９４】
前記第１及び第２光源部２３、２４の各々で前記第１及び第２発光ダイオードパッケージ２６、２７は前記印刷回路基板３０の上に第３方向Ｄ３へ交互に配列される。前記第１光源部２３の前記第１及び第２発光ダイオードパッケージ２６、２７から発生された光は第１方向Ｄ１へ出射されて前記導光板１１へ提供される。また、前記第２光源部２４の前記第１及び第２発光ダイオードパッケージ２６、２７から発生された光は第２方向Ｄ２へ出射されて前記導光板１１へ提供される。
【００９５】
前記導光板１１は前記第１及び第２光源部２３、２４から出射された光を前記表示パネル（図１の４００）側へガイドする。
【００９６】
図１４は図１３の第１発光ダイオードパッケージの一実施形態による断面図である。図１３で第１及び第２発光ダイオードパッケージ２６、２７は一部構成を除外すれば、同様に構成されるので、図１４では第１発光ダイオードパッケージ２６を例として図示した。
【００９７】
図１４を参照すれば、前記第１発光ダイオードパッケージ２６は発光ダイオード６２０、第１バンドパスフィルター２１１、蛍光体層６３０、及びハウジング６１０を含む。
【００９８】
前記発光ダイオード６２０は前記ハウジング６１０内に実装されて紫外線を発生させる。図１４に図示しないが、前記発光ダイオード６２０は前記印刷回路基板３０に電気的に連結されて駆動電圧を印加される２つのリードフレームと電気的に連結される。したがって、前記発光ダイオード６２０は前記リードフレームへ印加される電圧によって光を発生させる。また、図示しないが、前記発光ダイオード６２０の下部には前記発光ダイオード６２０から発生された熱を放出させる放熱パッド又は放熱板が具備され得る。
【００９９】
前記ハウジング６１０は底面部６１０ａ及び前記底面部６１０ａから実質的に垂直に延長された側面部６１０ｂを有し、前記発光ダイオード６２０、前記第１バンドパスフィルター２１１、及び前記蛍光体層６３０を収容できる内部空間を有し、一側が開放された形態に設けられる。即ち、前記底面部６１０ａの上には前記発光ダイオード６２０が実装され、前記側面部６１０ｂには前記第１バンドパスフィルター２１１及び前記蛍光体層６３０が実装され、前記側面部６１０ｂは前記第１バンドパスフィルター２１１及び前記蛍光体層６３０を支持する。
【０１００】
前記蛍光体層６３０は空気層６４０を介して前記発光ダイオード６２０に対向して具備される。前記蛍光体層６３０は１００ｎｍ乃至１０００μｍの厚さに形成され得る。また、前記蛍光体層６３０は前記第１バンドパスフィルター２１１に接し、一体に具備され得る。これとように前記蛍光体層６３０を薄膜形態に具備すれば、前記発光ダイオード６２０と前記蛍光体層６３０との間に前記空気層６４０が形成されて、前記発光ダイオード６２０から発生された熱を外部へ容易に放出でき、前記蛍光体層６３０が熱によって変形されることを防止することができる。
【０１０１】
図１４に図示しないが、前記蛍光体層６３０は高分子樹脂及び前記高分子樹脂内に散布された多数の蛍光体を含む。前記高分子樹脂は絶縁性高分子に形成でき、例えばシリコン樹脂、エポキシ樹脂、又はアクリル樹脂等が使用され得る。
【０１０２】
図１４に図示しないが、前記第２発光ダイオードパッケージ２７は前記第１バンドパスフィルター２１１の代わりに前記第１バンドパスフィルター２１１と異なるパスバンドを有する第２バンドパスフィルターを使用すること以外に前記第１発光ダイオードパッケージ２６と同一な構成を有する。
【０１０３】
図１５は図１３の第１発光ダイオードパッケージの他の実施形態による断面図である。図１３で第１及び第２発光ダイオードパッケージは一部構成を除外すれば、同様に構成されるので、図１５では第１発光ダイオードパッケージを例として図示した。
【０１０４】
図１５を参照すれば、前記第１発光ダイオードパッケージ２６は発光ダイオード６２０、第１バンドパスフィルター２１１、蛍光体層６３０、及びハウジング６１０を含む。
【０１０５】
前記発光ダイオード６２０は前記ハウジング６１０内に実装されて紫外線を発生させる。図１４と異なりに、図１５で前記蛍光体層６３０は前記発光ダイオード６２０上に介在された空気層無しで具備される。言い換えれば、前記蛍光体層６３０は前記第１バンドパスフィルター２１１と並べに薄膜形態に具備されることではなく、前記発光ダイオード６２０及び前記第１バンドパスフィルター２１１の間の空間を満たして前記発光ダイオード６２０に接するように具備される。
【０１０６】
図１５に図示しないが、前記第２発光ダイオードパッケージ２７は前記第１バンドパスフィルター２１１の代わりに前記第１バンドパスフィルター２１１と異なるパスバンドを有する第２バンドパスフィルターを使用すること以外に前記第１発光ダイオードパッケージ２６と同一な構成を有する。
【０１０７】
図１６は図１のバックライトユニットのその他の実施形態による分解斜視図である。
【０１０８】
図１６を参照すれば、前記バックライトユニット２０１は第１光源部２３及び導光板１１を含む。
【０１０９】
前記第１光源部２３は複数の第１発光ダイオードパッケージ２６、複数の第２発光ダイオードパッケージ２７、及び印刷回路基板３０を含む。
【０１１０】
前記第１光源部２３で前記第１及び第２発光ダイオードパッケージ２６、２７は前記印刷回路基板３０上に第３方向Ｄ３へ交互に配列される。前記第１光源部２３の前記第１及び第２発光ダイオードパッケージ２６、２７から発生された光は第１方向Ｄ１へ出射されて前記導光板１１へ提供される。
【０１１１】
前記導光板１１は前記第１光源部２３から出射された光を前記表示パネル（図１の４００）側へガイドする。
【０１１２】
前記第１及び第２発光ダイオードパッケージ２６、２７は図１４又は図１５に図示された発光ダイオードパッケージと同一又は類似に構成され得る。したがって、前記第１及び第２発光ダイオードパッケージ２６、２７に対する具体的な説明は省略する。
【０１１３】
図１６で前記第１光源部２３は複数の第１発光ダイオードパッケージ２６及び複数の第２発光ダイオードパッケージ２７を含むことと図示したが、２次元映像のみを表示する表示装置において、前記第１光源部２３は前記第１及び第２発光ダイオードパッケージ２６、２７の中でいずれか１つの発光ダイオードパッケージで構成され得る。
【０１１４】
以上で実施形態を参照して説明したが、該当技術分野の熟練された当業者は下記の特許請求の範囲に記載された本発明の思想及び領域から逸脱しない範囲内で本発明を多様に修正及び変更させ得ることを理解できる。また本発明に開示された実施形態は本発明の技術思想を限定するためものでなくの、下記の特許請求の範囲及びそれと同等な範囲内にある全て技術思想は本発明の権利範囲に含まれることと解析されなければならない。
【符号の説明】
【０１１５】
１０・・・導光板
２１・・・第１光源部
２２・・・第２光源部
２５・・・発光ダイオードパッケージ    
２９・・・印刷回路基板
３０・・・眼鏡
１１０・・・反射板
１２０・・・拡散シート
１３０・・・光学シート
２００・・・バックライトユニット      
３１０・・・ボトムシャーシー
３８０・・・トップシャーシ
４００・・・表示パネル
５００・・・表示装置
【図１】
0006018819.tif 000004
【図２】
0006018819.tif 000005
【図３】
0006018819.tif 000006
【図４】
0006018819.tif 000007
【図５】
0006018819.tif 000008
【図６】
0006018819.tif 000009
【図７】
0006018819.tif 000010
【図９】
0006018819.tif 000011
【図１０】
0006018819.tif 000012
【図１１】
0006018819.tif 000013
【図１３】
0006018819.tif 000014
【図１４】
0006018819.tif 000015
【図１５】
0006018819.tif 000016
【図１６】
0006018819.tif 000017
【図８】
0006018819.tif 000018
【図１２】
0006018819.tif 000019